(57)【要約】【課題】グリップベルト(GB)をハンドストラップとして使用可能とし、かつ電子機器の外観品位を向上するGBの取り付け構造を提供する。【解決手段】GB(1)は、輪状のストラップ(STRP)(1a)と、第１開口部(1c3)と第２開口部(1c5)とを有する扁平の略スリーブ状に形成され、第１開口部と第２開口部との間にSTRPの２つの部位を収納し第１及び第２の開口部からSTRPが延出するようSTRPに取り付けられたパッド(1c)とを備える。第１開口部はパッドにおいて第１開口部に対し第２開口部とは反対側となる端部(tb)から所定の距離だけ離れた側面(1c2)に設けられている。GB(1)の被取り付け部材(51)はパッドを収容する凹部(51e)とパッドの側面が凹部の底面(51e1)と対向するよう凹部に収容させた状態で第１開口部と対応する位置に設けられ第１開口部から延出するSTRPを固定する固定部(58)とを有する。【選択図】図１
2010156726.tif 000002
【特許請求の範囲】
【請求項１】
輪状のストラップと、
第１の開口部と第２の開口部とを有する扁平の略スリーブ状に形成され、前記第１の開口部と前記第２の開口部との間に前記ストラップの２つの部位を収納すると共に前記第１及び第２の開口部のそれぞれから前記ストラップが延出するよう前記ストラップに取り付けられたパッドと、を備え、
前記第１の開口部が、前記パッドにおいて前記第１の開口部に対し前記第２の開口部とは反対側となる端部から所定の距離だけ離れた側面に設けられているグリップベルト。
【請求項２】
請求項１記載のグリップベルトを被取り付け部材に取り付けるグリップベルトの取り付け構造であって、
前記被取り付け部材は、
前記パッドを収容する凹部と、
前記パッドを前記側面が前記凹部の底面と対向するよう前記凹部に収容させた状態で前記第１の開口部と対応する位置に設けられ、前記第１の開口部から延出する前記ストラップを固定する固定部と、
を有することを特徴とするグリップベルトの取り付け構造。
【請求項３】
前記被取り付け部材は、
前記パッドの前記第２の開口部から延出した前記ストラップが挿通されると共に挿通された前記ストラップを任意の位置で固定する固定具を備えていることを特徴とする請求項２記載のグリップベルト取り付け構造。
【請求項４】
筐体と、前記筐体の内部に収納された電子回路と、前記筐体に取り付けられた請求項１記載のグリップベルトと、を備えた電子機器において、
前記筐体の一面に設けられ前記パッドを収容する凹部と、
前記パッドを前記側面が前記凹部の底面と対向するよう前記凹部に収容させた状態で前記第１の開口部と対応する位置に設けられ、前記第１の開口部から延出する前記ストラップを固定した固定部と、
を有することを特徴とする電子機器。
【請求項５】
前記パッドが前記凹部に収容された状態で、前記パッドにおける前記側面と対向する他の側面と前記筐体の前記凹部周辺の外面とが略連続する面となることを特徴とする請求項４記載の電子機器。
【請求項６】
前記筐体は、前記パッドの前記第２の開口部から延出した前記ストラップが挿通されると共に挿通された前記ストラップを任意の位置で固定する固定具を備えていることを特徴とする請求項４記載の電子機器。
【発明の詳細な説明】
【技術分野】
【０００１】
本発明は、グリップベルト，グリップベルト取り付け構造，及び電子機器に係り、特に、グリップベルトをハンドストラップとしても使用可能なようにしたグリップベルトと、それを取り付けるグリップベルト取り付け構造と、その構造を備えた電子機器と、に関する。
【背景技術】
【０００２】
持ち運びできる電子機器には、一般的に、本体にハンドストラップが取り付けられるようになっている。
また、電子機器の形態によっては、使用時に本体をしっかりと把持できるようその本体にグリップベルトを備えている。
持ち運びできる電子機器として、例えば、ゲーム機やビデオカメラやデジタルカメラなどの撮像装置がある。
例えば撮像装置の場合、ハンドストラップは、通常、持ち運びの時に利用するものであり撮影時には不要となる。また、撮影時において、姿勢によっては画面内に入り込んでしまうなどの支障をきたす場合もある。
【０００３】
そこで、従来、グリップベルトとハンドストラップとを同一部材で兼ねるようにしたものが提案されており、その一例が特許文献１に記載されている。
【０００４】
【特許文献１】特開２００６−１８４８１５号公報
【発明の開示】
【発明が解決しようとする課題】
【０００５】
特許文献１に記載された提案において、グリップベルトをハンドストラップとして利用する場合には、グリップベルトの一端側を本体の前方に設けられたベルト通し部から外す必要がある。
また、ハンドストラップから再びグリップベルトとして使用する場合には、一端側をベルト通し部に挿通する必要がある。
また、ベルト通し部は、比較的小さいリング状であり、姿勢が固定されたものではないので、ベルトの一端側を挿通する作業は必ずしも容易なものではない。
【０００６】
一方、ハンドストラップとして使用する状況としては、例えば旅行などで手からぶら下げて街を散策する、という状況がある。
このような状況を踏まえ、電子機器の外観品位については、近年市場要望が極めて高くなっており、手からぶら下げた場合の電子機器の外観も高く維持することが望まれている。
【０００７】
また外観品位の向上は、商品価値を高めることになり、営業要望も強い。
具体的には、本体からはみ出したグリップベルトについて、それを使用しない非使用状態での見栄えをより良くすることが望まれている。
【０００８】
そこで、本発明が解決しようとする課題は、グリップベルトがハンドストラップとしても使用でき、グリップベルトをハンドストラップとして使用する状態において電子機器の外観品位を向上することができるグリップベルト，グリップベルト取り付け構造，及び電子機器を提供することにある。
【課題を解決するための手段】
【０００９】
上記の課題を解決するために、本願発明は手段として次の１）〜６）の構成を有する。
１）  輪状のストラップ(1a)と、
第１の開口部(1c3)と第２の開口部(1c5)とを有する扁平の略スリーブ状に形成され、前記第１の開口部(1c3)と前記第２の開口部(1c5)との間に前記ストラップ(1a)の２つの部位を収納すると共に前記第１及び第２の開口部（1c3）(1c5)のそれぞれから前記ストラップ(1a)が延出するよう前記ストラップ(1a)に取り付けられたパッド(1c)と、を備え、
前記第１の開口部(1c3)が、前記パッド(1c)において前記第１の開口部(1c3)に対し前記第２の開口部(1c5)とは反対側となる端部(tb)から所定の距離だけ離れた側面(1c2)に設けられているグリップベルト(1)である。
２）  １）に記載のグリップベルト(1)を被取り付け部材に取り付けるグリップベルトの取り付け構造であって、
前記被取り付け部材(51)は、
前記パッド(1c)を収容する凹部(51e)と、
前記パッド(1c)を前記側面(1c2)が前記凹部(51e)の底面(51e1)と対向するよう前記凹部(51e)に収容させた状態で前記第１の開口部(1c3)と対応する位置に設けられ、前記第１の開口部(1c3)から延出する前記ストラップ(1a)を固定する固定部(58)と、
を有することを特徴とするグリップベルトの取り付け構造である。
３）  前記被取り付け部材(51)は、
前記パッド(1c)の前記第２の開口部(1c5)から延出した前記ストラップ(1a)が挿通されると共に挿通された前記ストラップ(1a)を任意の位置で固定する固定具(2)を備えていることを特徴とする２）に記載のグリップベルト取り付け構造である。
４）  筐体(51)と、前記筐体(51)の内部に収納された電子回路(54)と、前記筐体(51)に取り付けられた１）に記載のグリップベルト(1)と、を備えた電子機器において、
前記筐体(51)の一面(51d)に設けられ前記パッド(1c)を収容する凹部(51e)と、
前記パッド(1c)を前記側面(1c2)が前記凹部(51e)の底面(51e1)と対向するよう前記凹部(51e)に収容させた状態で前記第１の開口部(1c3)と対応する位置に設けられ、前記第１の開口部(1c3)から延出する前記ストラップ(1a)を固定した固定部(58)と、
を有することを特徴とする電子機器(50)である。
５）  前記パッド(1c)が前記凹部(51e)に収容された状態で、前記パッド(1c)における前記側面(1c2)と対向する他の側面（1c1）と前記筐体(51)の前記凹部(51e)周辺の外面とが略連続する面となることを特徴とする４）に記載の電子機器(50)である。
６）  前記筐体(51)は、前記パッド(1c)の前記第２の開口部(1c5)から延出した前記ストラップ(1a)が挿通されると共に挿通された前記ストラップ(1a)を任意の位置で固定する固定具(2)を備えていることを特徴とする４）に記載の電子機器(50)である。
【発明の効果】
【００１０】
本発明によれば、グリップベルトがハンドストラップとしても使用でき、グリップベルトをハンドストラップとして使用する状態において電子機器の外観品位を向上することができる、という効果を奏する。
【発明を実施するための最良の形態】
【００１１】
本発明の実施の形態を、好ましい実施例により図１〜図６を用いて説明する。
【００１２】
実施例の電子機器として、撮像装置であるビデオカメラ５０を説明する。
図１は、ビデオカメラ５０の外観を説明するための斜視図である。上下左右前後の方向については、図１に記載したように定義する。
【００１３】
ビデオカメラ５０は、筐体５１と、筐体５１の前面５１ａ側に設けられた撮像レンズ５２と、筐体５１の内部に収められ撮像レンズ５２で撮像した被写体像を電気信号に変換する撮像素子５３，撮像素子５３から出力された画像信号を処理する電子回路である信号処理部５４，及び信号処理部５４で処理された画像などを記憶する記憶部５６を有している。
記憶部５６としては、ＨＤＤ（ハードディスクドライブ），固体メモリーなどが用いられる。
【００１４】
筐体５１の左側面５１ｂ側には、画像を表示するモニター部５７が設けられている。
モニター部５７は、筐体５１の前方側に回動支点を有して図１の矢印Ｄ１方向に筐体５１に対して離設するよう回動する。
【００１５】
筐体５１の後面５１ｃ側は、バッテリー５８が着脱自在に装着できるようになっている。
【００１６】
筐体５１の右側面５１ｄにはグリップベルト１が取り付けられている。
グリップベルト１は、閉じた輪として形成され、一端部Ａ及び他端部Ｂで折り返されているストラップ１ａと、ストラップ１ａの一端部Ａに固定された抜け防止具１ｂと、ストラップ１ａを内部に挿通し、ストラップ１ａの所定範囲の任意の位置に移動できるパッド１ｃと、を有して構成されている。
図１は、グリップベルト１をハンドストラップとしてではなくグリップベルトとして使用する状態（以下、第１のベルト状態とも称する）を示している。すなわち、ストラップ１ａと筐体５１との間に手を挿入できる空間Ｓ３が形成されている状態を示す。
【００１７】
パッド１ｃは、内部にストラップ１ａを通せる扁平の略スリーブ状とされ、柔軟性を有すると共に、このパッド１ｃによって手の甲を付勢した際に、使用者に良好な感触を与えるような硬度を有する材料で形成されている。
【００１８】
また、パッド１ｃは、筐体５１の長手方向の長さより短い長手を有する短冊状に形成されている。
具体的には、筐体５１の長手方向長さＬ１が例えば１１０ｍｍの場合、パッド１ｃは長手方向の長さＬ２＝８５ｍｍとされている。また、パッド１ｃの幅はＷ＝９ｍｍとされ、厚さはｔ＝３．５ｍｍとされている。
【００１９】
筐体５１は、右側面５１ｄに、パッド１の形状に対応した凹んだ凹部５１ｅを有している。
すなわち、パッド１を凹部５１ｅに収めることができ、その収めた状態で、境界の隙間がほとんどないように互いの外形形状が設定され、また、パッド１ｃの表面１ｃ１と筐体５１の外面とがほぼ連続した面となるように互いの厚さも設定されている。
【００２０】
グリップベルト１は、そのストラップ１ａが、筐体５１の前方側となる他端部Ｂと、一端部Ａと他端部Ｂとの間の中間部Ｃと、が筐体５１に固定されている。
図１におけるア部拡大図を用いて具体的に説明する。
凹部５１ｅの底面５１ｅ１には窪み部５９が形成され、窪み部５９の上下面を連結するように金属シャフトなどの芯部材５８が配設されている。他端部Ｂは、窪み部５９内に進入し、芯部材５８を捲くように取り付けられている。
芯部材５８として、金属シャフトの代わりに、窪み部５９の上下面を橋渡しするように底面５１ｅ１を形成してもよい。
芯部材５８の設けられる位置は、凹部５１ｅの先端から距離Ｌ３だけ後方側に寄った位置とされている。
【００２１】
中間部Ｃにおいて、ストラップ１ａは、筐体５１に設けられた固定具２により固定されている。
図２に固定具２の詳細を示す。
図２は、固定具２を筐体５１の後方側から見た部分的斜視図である。
【００２２】
固定具２は、凹部５１ｅの後方側に収められるように設けられており、筐体５１に対して矢印Ｄ２方向に回動し開閉可能とされたアジャスタレバー２ａを有している。
アジャスタレバー２ａを閉じた状態で、アジャスタレバー２ａの背面２ａ１と、その上下方向の筐体５１の表面（例えばロ部）とがほぼ連続した面となるように形成されている。
【００２３】
凹部５１ｅの底面５１ｅ１と固定具２との間にはストラップ１ａが自由に通過できる空間Ｓ１が設けられており、この空間Ｓ１に、抜け防止具１ｂをまだ取り付けていない製造段階のストラップ１ａが矢印Ｄ３方向に挿通される。そして、その挿通後にストラップ１ａに対して抜け防止具１ｂが取り付けられる。
抜け防止具１ｂは、空間Ｓ１を通過できない大きさで形成されている。
従って、ストラップ１ｂは、他端部Ｂ側において芯部材５８を輪の内側に配置し、一端部Ａ側において抜け防止具１ｂにより固定具２から抜けないようにされているので、筐体５１から取り外すことはできないようになっている。
【００２４】
図２において、アジャスタレバー２ａの内側面には、筐体５１側に向けて突出する爪部２ｂが一対設けられている。
また、固定具２には、アジャスタレバー２ａの回動軸に対して径方向に突出する係合凸部２ｃが一対設けられている。
【００２５】
爪部２ｂは、アジャスタレバー２ａが図２に示す開状態から閉状態に移行する回動過程で、係合凸部２ｃを強制的に乗り越えるようになっている。
従って、アジャスタレバー２ａを閉じる際にクリック感が得られると共に、閉じた状態で所定の力以上の力が付与されない限り、開かないようになっている。
【００２６】
また、固定具２は、アジャスタレバー２ａと一体に回動する係止爪２ｄを有している。係止爪２ｄは、アジャスタレバー２ａが閉状態で空間Ｓ１に進入し、空間Ｓ１に挿通されているストラップ１ａを強く押圧する。
このアジャスタレバー２ａの閉状態における係止爪２ｄの押圧により、ストラップ１ａは、自由に空間Ｓ１内を移動できる範囲内の任意の位置で、固定部２によりロックされる。
【００２７】
実施例の撮像装置５０は、アジャスタレバー２ａを開き、ストラップ１ａを撮像装置５０の後方側、すなわち、図１における矢印Ｄ３方向にいっぱいに引っ張った状態でアジャスタレバー２ａを閉じると、パッド１ｃが凹部５１ｅにぴったりと収まると共に、ストラップ１ａがアジャスタレバー２ａから後方側が輪状に大きく広がった状態で固定されてハンドストラップとして利用できるようになる。
換言するならば、グリップベルト機能からハンドストラップ機能へと機能変換が行われる。
【００２８】
この状態を図３に示す。
図３は、図１とほぼ同じ方向から撮像装置５０を見た斜視図であり、ハンドストラップ機能を最大限発揮できる状態（以下、第２のベルト状態とも称する）を示している。
【００２９】
パッド１ｃは、その表面１ｃ１が筐体５１の外面とほぼ連続した面となるように凹部５１ｅに収められる。
また、ストラップ１ａは、固定具２より後方側において腕が通過できる空間Ｓ２を有する輪として引き出されている。
【００３０】
凹部５１ｅの縁部の一部には、パッド１ｃを凹部５１ｅから取り出す際の指の掛かりとなるよう凹んだ指掛かり部５１ｆが設けられている。
【００３１】
図３からわかるように、グリップベルト１をハンドストラップとして使用する状態において、パッド１ｃの内部にストラップ１ａがほぼ完全に収納されて外部から視認できなくなっている。当然に図１に示した芯部材５８や窪み部５９もパッド１ｃに隠れて外部から視認できない。
また、繰り返しとなるが、パッド１ｃは筐体５１の外形にとけ込むように凹部５１ｅに収容され、突出することもないので、あたかも筐体５１と一体と視認されて外観品位が極めて高くなっている。
【００３２】
図３に示す第２のベルト状態において、パッド１ｃにより芯部材５８及び窪み部５９を良好に隠れる理由について、図４及び図５を用いて説明する。
【００３３】
図４は、パッド１ｃを内側（筐体５１側）から見た斜視図である。
【００３４】
パッド１ｃは、略スリーブ状に形成されているが、その筐体５１側となる裏面１ｃ２において、前側端部ｔｂから距離Ｌ３の位置を中心とし前後方向に幅Ｌ４の開口部１ｃ３が形成されている。
ストラップ１ａは、開口部１ｃ３と後方側端部の開口部１ｃ５との間で収納されるように挿通される。
すなわち、ストラップ１ａの前方側の出口（開口部１ｃ３）が、前端部ｔｂから距離Ｌ３だけ後方側に寄った位置にあり、この位置が、筐体５１の芯部材５８の位置と対応しているので、パッド１ｃが凹部５１ｅに嵌合して収容された際に、パッド１ｃにより芯部材５８と窪み部５９とが隠されることになる。
【００３５】
また、パッド１ｃの裏面１ｃ２の中央部付近には、円形の窪み１ｃ４が形成されている。
一方、筐体５１の凹部５１ｅには、この窪み１ｃ４に嵌合するダボ５１ｇが設けられている（図１参照）。
この窪み１ｃ４とダボ５１ｇとの係合により、第１のベルト状態から第２のベルト状態への移行時に、パッド１ｃは、より確実に、また、よりスムースに凹部５１ｅに収容される。
【００３６】
パッド１ｃが凹部５１ｅに収容された第２のベルト状態における開口部１ｃ３近傍の断面図を図５に示す。この図５は図３におけるＳＣ１−ＳＣ１断面部である。図５では、見易くするために筐体５１にのみハッチングを付している。
【００３７】
図５からもわかるように、パッド１ｃの開口部１ｃ３と凹部５１ｅの窪み部５９とが互いに対応する位置に設けられている。これにより、ストラップ１ａが窪み部５９に進入して芯部材５８に捲かれた状態のままパッド１ｃを凹部５９ｅに完全に収容することができる。
このように、凹部５１ｅに収容されたパッド１ｃにより芯部材５８と窪み部５９とが覆われるので、これらが外部から視認されることはない。
【００３８】
グリップベルト１を、図３に示すようなハンドストラップとして使用する第２のベルト状態から、図１に示すようなグリップベルトとして使用する第１のベルト状態へ移行させる場合は、まず、アジャスタレバー２ａを開状態にし、固定具２においてストラップ１ａを自由に移動できるようにする。
次に、指掛かり部５１ｆを利用して指などによりパッド１ｃを凹部５１ｅから引き出して引っ張る。これにより、筐体５１の後方側に引き出されハンドストラップとして利用されていたストラップ１ａの輪の部分が筐体５１側に引き込まれる。
そして、筐体５１とパッド１ｃとの間に手の甲を通し、好みの押圧状態になるようにストラップ１ａの位置を調整し、アジャスタレバー２ａを閉状態にして固定すればよい。
【００３９】
従って、ストラップ１ａを固定具から外したり、再び通したり、という面倒な手間を掛けずに、極めて簡単にグリップベルトとハンドストラップとの機能変換を行うことができる。
また、ストラップ１ａの長さは、グリップベルトとして使用する場合に、筐体５１の後方からわずかに突出する程度に設定されている。
そのため、撮影時などで画面内にストラップ１ａが進入することはなく、良好な撮影が行える。
【００４０】
図６は、理解を深めるため、グリップベルト１を除き、アジャスタレバー２ａを閉状態にした筐体５１の右側面を示す。
【００４１】
この図６において、凹部５１ｅには、芯部材５８，窪み部５９，及びダボ５１ｇ以外に、開閉可能な端子蓋５１ｈが設けられている。端子蓋５１を開けると内部に配設された各種入出力端子群を利用することができる。
凹部５１ｅは、グリップベルト１をハンドストラップとして利用する第２のベルト状態ではパッド１ａで隠れ、グリップベルト１をグリップベルトとして使用する第１のベルト状態においても、筐体５１を把持する手で隠れる場所であるから、端子蓋５１が外部から視認される機会はほとんどない。
従って、実施例によれば、従来、常に外部から視認されるような筐体５１の外面（例えば前面）に設けなければならなかった端子蓋５１などの外観品位の向上を難しくする部位をパッド１ｃで覆い隠せるので、グリップベルトの外観品位向上にとどまらず、撮像装置５０全体の外観品位を向上させることができる。
【００４２】
本発明の実施例は、上述した構成及び手順に限定されるものではなく、本発明の要旨を逸脱しない範囲において変形例としてもよいのは言うまでもない。
【００４３】
実施例において、凹部５１ｅは、撮像レンズ５２の光軸ＣＬ（図１参照）に平行または平行に近い状態の例を示したが、光軸ＣＬに対して傾斜して設けられていてもよい。この場合、パッド１ｃの長手方向長さが、筐体５２の前後方向の長さＬ１よりも長くなってもよい。
【００４４】
実施例では、グリップベルト１のストラップ１ａを筐体５２の前方側で固定すると共に後方側に固定具２を配置し、ハンドストラップとして使用する際には、ストラップ１ａを筐体５２の後方側に引き出す例を説明したが、これに限るものではない。
例えば、グリップベルト１のストラップ１ａを筐体５２の後方側で固定すると共に前方側に固定具２を配置し、ハンドストラップとして使用する際には、ストラップ１ａを筐体５２の前方側に引き出すようにしてもよい。
【図面の簡単な説明】
【００４５】
【図１】本発明の電子機器の実施例における第１のベルト状態を説明するための外観斜視図とその部分拡大図である。
【図２】本発明の電子機器の実施例の要部を説明するための斜視図である。
【図３】本発明の電子機器の実施例における第２のベルト状態を説明するための外観斜視図である。
【図４】本発明の電子機器の実施例における他の要部を説明するための斜視図である。
【図５】本発明の電子機器の実施例における第２のベルト状態での要部を説明するための部分断面図である。
【図６】本発明の電子機器の実施例におけるグリップベルトを取り外した状態を説明するための斜視図である。
【符号の説明】
【００４６】
１  グリップベルト
１ａ  ストラップ
１ｂ  抜け防止具
１ｃ  パッド
１ｃ１  表面
１ｃ２  裏面
１ｃ３  （第１の）開口部
１ｃ４  窪み
１ｃ５  （第２の）開口部
２  固定具
２ａ  ジャスタレバー
２ｂ  爪部
２ｃ  係合凸部
５０  撮像装置
５１  筐体
５１ａ  前面
５１ｂ  左側面
５１ｃ  後面
５１ｄ  右側面
５１ｅ  凹部
５１ｅ１  底面
５１ｆ  指掛かり部
５１ｇ  ダボ
５２  撮像レンズ
５３  撮像素子
５４  信号処理部
５６  記憶部
５７  モニター部
５８  芯部材
５９  窪み部
ｔｂ  前端部
【図１】
2010156726.tif 000003
【図２】
2010156726.tif 000004
【図３】
2010156726.tif 000005
【図４】
2010156726.tif 000006
【図５】
2010156726.tif 000007
【図６】
2010156726.tif 000008